(57)【要約】【課題】排気管の振動や衝撃による排気管の破損を防止することができる無電極放電灯を提供する。【解決手段】収納凹部内２１aに収納される排気管１３を支持する支持部材２２を設ける。近年は無電極放電灯の高出力化に伴ってバルブが大型化してきている。それによって排気管１３の全長も長くなっている。この長くなった排気管１３は輸送時や設置後の振動や衝撃により、根元が破損する虞れがある。本発明の構造を無電極放電灯とそれを用いた照明器具に設けることで排気管１３の破損を防止することができる。【選択図】図１
2012009272.tif 000002
【特許請求の範囲】
【請求項１】
内部に放電ガスが封入されるバルブと、前記バルブ内に高周波磁界を発生させ、前記放電ガスを励起する誘導コイルを備えたカプラとを有する無電極放電灯であって、前記バルブは、透光性材料からなる外管と、前記外管の底部から前記外管の内部に向かう向きに落ち窪んだ略筒状の内管と、前記内管の底部から前記外管の底部に向かう向きに突出した略筒状の排気管とを備え、前記カプラは、前記誘導コイルを保持して前記内管内に収納されるカプラ本体を備え、前記カプラ本体は、一端が開口して前記排気管を収納する収納凹部を有し、弾性を有し前記収納凹部内に収納された前記排気管を支持する支持部材を備えることを特徴とする無電極放電灯。
【請求項２】
前記支持部材は、前記収納凹部の内周面に取り付けられ、中心に前記排気管を挿通し支持するための挿通穴と、前記カプラに前記バルブを装着する際に前記排気管を前記挿通穴へガイドするガイド部とを有しており、前記ガイド部は、前記排気管が挿通される端面が、前記収納凹部の内周から前記支持部材の中心に向かう向きに窪んで形成されていることを特徴とする請求項１記載の無電極放電灯。
【請求項３】
前記支持部材は、前記排気管の外周面に取り付けられ、前記排気管の開口部から前記排気管の底部に向かう向きに先細りに形成されていることを特徴とする請求項１記載の無電極放電灯。
【請求項４】
請求項１から請求項３の何れか１項に記載の無電極放電灯と、当該無電極放電灯を点灯させる点灯装置と、当該無電極放電灯を支持する器具本体とを備えたことを特徴とする照明器具。
【発明の詳細な説明】
【技術分野】
【０００１】
本発明は、高周波電磁界により放電ガスを励起させて発光する無電極放電灯及びそれを用いた照明器具に関する。
【背景技術】
【０００２】
従来から図４に示すように放電ガスが封入されたバルブ１と高周波磁界を発生させる誘導コイル２４を有するカプラ２とで構成される無電極放電灯が提供されている（例えば、特許文献１,２参照）。
バルブ１は、透光性材料からなる外管１１と、外管１１の底部から外管１１の内部に向かう向きに落ち窪んだ略筒状の内管１２と、内管１２の底部１２aから外管１１の底部に向かう向きに突出した略筒状の排気管１３とを備えている。バルブ１内の空気は、排気管１３よりポンプ等によって排気されるとともに放電ガスと置換される。その後、排気管１３の先端が封止される。
【０００３】
カプラ２は、内管１２内に収納されるカプラ本体２１を有しており、カプラ本体２１の外周面に誘導コイル２４が巻回されている。またカプラ本体２１には、一端が開口し排気管１３を収納するための収納凹部２１aが設けられている。
【先行技術文献】
【特許文献】
【０００４】
【特許文献１】特開２００６−１２６４１号公報
【特許文献２】特開２００７−５９３５８号公報
【発明の概要】
【発明が解決しようとする課題】
【０００５】
ところで、近年は無電極放電灯の高出力化に伴ってバルブが大型化してきている。そして、バルブの大型化によって排気管の全長も長くなっており、振動や衝撃によって排気管の根元が破損する虞れがある。
【０００６】
本発明は、上記課題に鑑みて為されたものであり、振動や衝撃による排気管の破損を防止することができる無電極放電灯及びそれを用いた照明器具の提供を目的とする。
【課題を解決するための手段】
【０００７】
本発明の無電極放電灯は、内部に放電ガスが封入されるバルブと、前記バルブ内に高周波磁界を発生させ、前記放電ガスを励起する誘導コイルを備えたカプラとを有する無電極放電灯であって、前記バルブは、透光性材料からなる外管と、前記外管の底部から前記外管の内部に向かう向きに落ち窪んだ略筒状の内管と、前記内管の底部から前記外管の底部に向かう向きに突出した略筒状の排気管とを備え、前記カプラは、前記誘導コイルを保持して前記内管内に収納されるカプラ本体を備え、前記カプラ本体は、一端が開口して前記排気管を収納する収納凹部を有し、弾性を有し前記収納凹部内に収納された前記排気管を支持する支持部材を備えることを特徴とする。
【０００８】
この無電極放電灯において、前記支持部材は、前記収納凹部の内周面に取り付けられ、中心に前記排気管を挿通し支持するための挿通穴と、前記カプラに前記バルブを装着する際に前記排気管を前記挿通穴へガイドするガイド部とを有しており、前記ガイド部は、前記排気管が挿通される端面が、前記収納凹部の内周から前記支持部材の中心に向かう向きに窪んで形成されていることが好ましい。
【０００９】
この無電極放電灯において、前記支持部材は、前記排気管の外周面に取り付けられ、前記排気管の開口部から前記排気管の底部に向かう向きに先細りに形成されていることが好ましい。
【００１０】
この無電極放電灯において、請求項１から請求項３の何れか１項に記載の無電極放電灯と、当該無電極放電灯を点灯させる点灯装置と、当該無電極放電灯を支持する器具本体とを備えたことを特徴とする照明器具であることが好ましい。
【発明の効果】
【００１１】
本発明の無電極放電灯及びそれを用いた照明器具は、振動や衝撃による排気管の破損を防止することができる効果がある。
【図面の簡単な説明】
【００１２】
【図１】本発明に係る無電極放電灯の実施形態を示す一部省略した断面図である。
【図２】同上の分解断面図である。
【図３】同上を用いた照明器具の断面図である。
【図４】従来の無電極放電灯の分解斜視図である。
【発明を実施するための形態】
【００１３】
以下、図面を参照して本発明に係る無電極放電灯及び照明器具の実施形態を説明する。但し、本実施形態の無電極放電灯は、図４に示した従来例と基本構成が共通しているので、共通する構成要素には同一の符号を付して適宜図示並びに説明を省略する。
【００１４】
本実施形態の無電極放電灯は、図１に示すようにカプラ２の収納凹部２１a内に収納された排気管１３を支持する支持部材２２が設けられている点に特徴がある。支持部材２２は、例えばゴムのような弾性材料を用いて略円柱状に形成されており、中心には排気管１３を挿通し支持するための挿通穴２５が設けられている。図１に示すように支持部材２２は、収納凹部２１aの内周面に取り付けられており、カプラ２にバルブ１を装着する際に排気管１３を挿通穴２５へガイドするガイド部２２aを有している。ガイド部２２aは、排気管１３が挿通される端面が、収納凹部２１aの内周から支持部材２２の中心に向かう向きに窪んで形成されている。但し、支持部材２２はカプラ２内に設けられた放熱体（図示せず）の放熱温度の影響を受けて変形しないような材料である必要がある。
【００１５】
上述のように本実施形態によれば、支持部材２２が振動や衝撃を吸収するため、排気管１３の破損を防止することができる。更に、支持部材２２の上端には、ガイド部２２aが形成されているため、排気管１３の先を挿通穴２５へ案内することができる。よって排気管１３を収納凹部２１aにスムーズに挿通することができ、カプラ２にバルブ１を装着する際に無理な力が加わり排気管１３が折れる心配がなくなる。
【００１６】
なお、図２に示すように、支持部材２２を、排気管１３の外周面に設けても構わない。支持部材２２の下端部には、排気管１３の開口部から排気管１３の底部に向かう向きに先細りになるガイド部２２bが形成されている。この場合も上述と同様の効果を得ることができる。支持部材２２の形状は、上述のような構造に限定されるものではなく、排気管１３を挿通穴２５へガイドする構造であればよい。
【００１７】
本実施形態の無電極放電灯は、図３に示すような照明器具に用いることができる。この照明器具は、天井に埋込み配設されるダウンライト３であり、本実施形態の無電極放電灯と器具本体３１と当該無電極放電灯の光を反射する反射体３３と当該無電極放電灯を点灯させる点灯装置３２とで構成されている。器具本体３１は、無電極放電灯のカプラ２と点灯装置３２とを支持し、反射体３３は、カプラ２の下方に突出して嵌め込まれたバルブ１を囲むように形成されている。
【符号の説明】
【００１８】
１  バルブ
１１  外管
１２  内管
１３  排気管
２  カプラ
２１  カプラ本体
２１a  収納凹部
２２  支持部材
２２a  ガイド部
【図１】
2012009272.tif 000003
【図２】
2012009272.tif 000004
【図３】
2012009272.tif 000005
【図４】
2012009272.tif 000006